(57)【要約】【課題】バイパストレイを使用しない場合に設定画面からバイパストレイに関わる表示をなくすことで、ユーザーがバイパストレイを使用しない場合における操作性を向上させる。【解決手段】画像形成装置１は、表示部４７３と、用紙に画像を形成する画像形成部１２と、画像形成部１２へ給紙される用紙を収容する給紙カセット１４２と、画像形成部１２へ給紙される手差しの用紙が載置される開閉可能なバイパストレイ１４１と、表示部４７３に画像形成部１２への給紙元として給紙カセット１４２及びバイパストレイ１４１の中のいずれか一つを選択するための用紙選択画面を表示させ、バイパス無しモードが設定されている場合には用紙選択画面においてバイパストレイに関わる表示を行わない制御部１００と、操作者の指示に従ってバイパス無しモードを設定するバイパス無しモード設定部１０１とを備える。【選択図】図２
2018120138.tif 000002
【特許請求の範囲】
【請求項１】
表示部と、
用紙に画像を形成する画像形成部と、
前記画像形成部へ給紙される用紙を収容する給紙カセットと、
前記画像形成部へ給紙される手差しの用紙が載置される、装置本体に対して開閉可能なバイパストレイと、
操作者から、前記バイパストレイからの給紙を行わないモードであるバイパス無しモードを設定するバイパス無しモード設定指示を受け付ける操作部と、
前記操作部に前記バイパス無しモード設定指示が受け付けられたときに、前記バイパス無しモードを設定するバイパス無しモード設定部と、
前記表示部に前記画像形成部への給紙元として前記給紙カセット及び前記バイパストレイの中のいずれか一つを選択するための用紙選択画面を表示可能であり、前記バイパス無しモード設定部によって前記バイパス無しモードに設定されている場合には、前記用紙選択画面においてバイパストレイに関わる表示を行わない制御部と、を備えた画像形成装置。
【請求項２】
前記制御部は、前記画像形成部へ給紙される用紙のサイズ及び種類を設定するための用紙設定画面を前記表示部に表示させ、前記バイパス無しモードが設定されている場合には、前記用紙設定画面において前記バイパストレイに関わる表示を行わない請求項１に記載の画像形成装置。
【請求項３】
前記制御部は、前記画像形成装置の電源導入時又はスリープモードからの通常モードへの遷移時において前記画像形成装置にウォームアップ動作を行わせるときに、前記バイパス無しモードが設定されている場合には、前記ウォームアップ動作における前記バイパストレイに関わるウォームアップ動作を行わせない請求項１に記載の画像形成装置。
【請求項４】
前記制御部は、前記バイパス無しモードが設定されていない場合には、前記バイパストレイに関連するデバイスを全て動作可能状態とし、前記バイパス無しモードが設定されている場合には、前記バイパストレイに関連するデバイスを全て動作停止状態とする請求項１に記載の画像形成装置。
【請求項５】
前記バイパストレイに関連するデバイスの異常を検知するバイパス関連デバイス異常検知部を備え、
前記バイパス関連デバイス異常検知部は、前記バイパス無しモードが設定されていない場合には、前記バイパストレイに関連するデバイスの異常検知を行い、前記バイパス無しモードが設定されている場合には、前記バイパストレイに関連するデバイスの異常検知を行わない請求項１に記載の画像形成装置。
【請求項６】
前記バイパストレイの開閉を検知するバイパス開閉検知センサーを備え、
前記バイパス無しモード設定部は、前記操作部が前記バイパス無しモード設定指示を受け付けていない場合であっても、前記バイパス開閉検知センサーにより前記バイパストレイが閉じていることが検知された場合には、前記バイパス無しモードを設定し、前記バイパス開閉検知センサーにより前記バイパストレイが開いたことが検知された場合には、前記バイパス無しモードを解除する請求項１に記載の画像形成装置。
【請求項７】
前記バイパス無しモード設定部は、前記操作部が前記バイパス無しモード設定指示を受け付けている場合には、前記バイパストレイの開閉にかかわらずバイパス無しモードを設定する請求項６に記載の画像形成装置。
【請求項８】
前記制御部は、前記バイパストレイが開かれて前記バイパス無しモード設定部によりバイパス無しモードが解除されたときに、前記バイパストレイに関わるウォームアップ動作を行って、前記表示部に前記バイパストレイの用紙サイズ及び用紙種類を設定するための用紙設定画面を表示させる請求項６に記載の画像形成装置。
【請求項９】
前記バイパス無しモード設定部は、前記画像形成装置の電源投入時に前記バイパストレイの給紙枚数を取得及び記憶し、前回の電源投入時から当該給紙枚数に変化がなければ、前記操作部が前記バイパス無しモード設定指示を受け付けていない場合であっても、前記バイパス無しモードを設定する請求項１に記載の画像形成装置。
【発明の詳細な説明】
【技術分野】
【０００１】
本発明は、画像形成装置に関し、特に、バイパストレイを使用しない場合に設定画面からバイパストレイに関わる表示をなくす技術に関する。
【背景技術】
【０００２】
プリンターや複合機等の画像形成装置には様々な機能が搭載されている。その中にはユーザーが実際には使用しないものも含まれるが、画像形成装置の各種操作画面には全ての機能の設定が表示される。すなわち、各種操作画面においてユーザーにとって不要な機能までもが表示され、そのことがユーザーの混乱や誤操作の原因となり得る。
【０００３】
そのような問題に対して、例えば、下記特許文献１には、画像形成装置において、不特定な周辺機などの付加機能のバージョン調整に応じて画像形成装置本体のバージョンを適切にかつ確実に調整して、付加機能に対応する設定キーのみ表示させるようにして操作性を向上する技術が開示されている。
【先行技術文献】
【特許文献】
【０００４】
【特許文献１】特開平８−７６９４７号公報
【発明の概要】
【発明が解決しようとする課題】
【０００５】
一般に、画像形成装置には手差しで用紙を給紙するためのバイパストレイが設けられている。バイパストレイは開閉することができ、手差しで用紙を給紙する場合には、バイパストレイを開いてそこに手差しの用紙を載置する。このため、画像形成装置を設置する場合、バイパストレイを開くことを考慮して十分な設置スペースを確保する必要がある。
【０００６】
ところが、設置スペースが十分に確保できず、バイパストレイを開くことができない狭いスペースに画像形成装置を設置する場合がある。この場合、バイパストレイが実質的に使用することができないにもかかわらず、画像形成装置の設定画面にはバイパストレイに関わる表示がされ続ける。これは、操作者にとって煩わしいばかりか、使用できないバイパストレイの設定を誤って行ってしまうおそれがある。また、ユーザーがそもそもバスパストレイの使用を望まない場合もある。
【０００７】
本発明は、上記の事情に鑑みなされたものであり、ユーザーがバイパストレイを使用しない場合における操作性の向上を目的とする。
【課題を解決するための手段】
【０００８】
本発明の一局面に係る画像形成装置は、表示部と、用紙に画像を形成する画像形成部と、前記画像形成部へ給紙される用紙を収容する給紙カセットと、前記画像形成部へ給紙される手差しの用紙が載置される、装置本体に対して開閉可能なバイパストレイと、操作者から、前記バイパストレイからの給紙を行わないモードであるバイパス無しモードを設定するバイパス無しモード設定指示を受け付ける操作部と、前記操作部に前記バイパス無しモード設定指示が受け付けられたときに、前記バイパス無しモードを設定するバイパス無しモード設定部と、前記表示部に前記画像形成部への給紙元として前記給紙カセット及び前記バイパストレイの中のいずれか一つを選択するための用紙選択画面を表示可能であり、前記バイパス無しモード設定部によって前記バイパス無しモードに設定されている場合には、前記用紙選択画面においてバイパストレイに関わる表示を行わない制御部と、を備えたものである。
【発明の効果】
【０００９】
本発明によれば、ユーザーがバイパストレイを使用しない場合には、設定画面からバイパストレイに関わる表示をなくすことにより、ユーザーにとって不要な表示を設定画面から低減するため、ユーザーがバイパストレイを使用しない場合における操作性を向上させることができる。
【図面の簡単な説明】
【００１０】
【図１】本発明の一実施形態に係る画像形成装置の構造を示す正面断面図である。
【図２】画像形成装置の主要内部構成を示す機能ブロック図である。
【図３】画像形成装置における各種設定画面の表示処理を示すフローチャートである。
【図４Ａ】バイパス無しモードが設定されていない場合の用紙選択画面例を示す図である。
【図４Ｂ】バイパス無しモードが設定されている場合の用紙選択画面例を示す図である。
【図５Ａ】バイパス無しモードが設定されていない合の用紙設定画面例を示す図である。
【図５Ｂ】バイパス無しモードが設定されている場合の用紙設定画面例を示図である。
【図６】画像形成装置におけるウォームアップ処理を示すフローチャートである。
【図７】画像形成装置におけるバイパス関連デバイスの動作制御処理を示すフローチャートである。
【図８】画像形成装置におけるバイパス関連デバイスの異常検知処理を示すフローチャートである。
【図９】画像形成装置におけるバイパス無しモードの自動設定処理の一例を示すフローチャートである。
【図１０】画像形成装置におけるバイパス無しモードの自動設定処理の別例を示すフローチャートである。
【発明を実施するための形態】
【００１１】
以下、本発明の一実施形態に係る画像形成装置について図面を参照して説明する。図１は、本発明の一実施形態に係る画像形成装置の構造を示す正面断面図である。
【００１２】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。
【００１３】
操作部４７は、画像形成装置１が実行可能な各種動作及び処理について操作者から画像形成動作実行指示や原稿読取動作実行指示等の指示を受け付ける。操作部４７は、操作者への操作案内や画像形成装置１の各種設定画面等を表示する表示部４７３を備えている。表示部４７３はタッチパネルになっており、操作者は画面表示されるキーに触れて画像形成装置１を操作することができる。
【００１４】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１５】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての用紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１６】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた用紙に転写させる。この後、定着部１３が、用紙上のトナー像を、熱圧着により用紙に定着させる。定着処理の完了したカラー画像形成済みの用紙は、排出トレイ１５１に排出される。
【００１７】
給紙部１４は、バイパストレイ１４１及び複数の給紙カセット１４２を備える。給紙カセット１４２には所定の大きさの用紙を大量に収容することができる。一方、バイパストレイ１４１は、使用時には図１に示したように開いて手差しの用紙を載置することができ、使用しない場合には閉じることができる。バイパストレイ１４１は、厚手、定形外、封筒、ＯＨＰフィルムといった給紙カセット１４２には収容できない用紙に画像を形成する場合に使用される。このように、バイパストレイ１４１には任意のサイズ及び種類の用紙を載置することができる。
【００１８】
操作者から用紙のサイズ又は種類が指定されると、当該サイズ又は種類の用紙が載置又は収容されたバイパストレイ１４１又は給紙カセット１４２のピックアップローラー１４５が回転駆動して、バイパストレイ１４１に載置された用紙又は給紙カセット１４２に収容されている用紙を上記ニップ部Ｎに向けて搬送する。
【００１９】
なお、画像形成装置１において、両面印刷を行う場合は、画像形成部１２より一方の面に画像が形成された用紙を、排出ローラー対１５９にニップされた状態とした後、当該用紙を排出ローラー対１５９によりスイッチバックさせて反転搬送路１９５に送り、搬送ローラー対１９により、上記ニップ部Ｎ及び定着部１３に対して用紙の搬送方向上流域に再度搬送する。これにより、画像形成部１２により当該用紙の他方の面に画像が形成される。
【００２０】
図２は、画像形成装置１の主要内部構成を示す機能ブロック図である。画像形成装置１は、制御ユニット１０、操作部４７、原稿給送部６、原稿読取部５、画像メモリー３２、画像形成部１２、定着部１３、ファクシミリ通信部７１、バイパス開閉検知センサー８１、手差し用紙検知センサー８２、手差し用紙幅検知センサー８３、ネットワークインターフェイス部９１、及びＨＤＤ９２等を備える。
【００２１】
原稿読取部５は、制御ユニット１０による制御の下、光照射部及びＣＣＤセンサー等を有する読取機構１６３（図１）を備える。原稿読取部５は、光照射部により原稿を照射し、その反射光をＣＣＤセンサーで受光することにより、原稿から画像を読み取る。
【００２２】
画像メモリー３２は、原稿読取部５による読取で得られた原稿画像のデータを一時的に記憶したり、画像形成部１２のプリント対象となるデータを一時的に保存する領域である。
【００２３】
ファクシミリ通信部７１は、図略の符号化／復号化部、変復調部及びＮＣＵ（Network Control Unit）を備え、公衆電話回線網を用いてのファクシミリの送信を行うものである。
【００２４】
バイパス開閉検知センサー８１、手差し用紙検知センサー８２及び手差し用紙幅検知センサー８３は、バイパストレイ１４１に設けられたセンサー群である。バイパス開閉検知センサー８１は、バイパストレイ１４１の開閉を検知する。手差し用紙検知センサー８２は、バイパストレイ１４１への用紙の載置を検知する。手差し用紙幅検知センサー８３は、バイパストレイ１４１に載置された用紙の幅を検知する。バイパス開閉検知センサー８１、手差し用紙検知センサー８２及び手差し用紙幅検知センサー８３は、バイパストレイ１４１の開閉を検知可能な構成であれば、機械式、光学式、磁気式のいずれでも構わない。
【００２５】
なお、バイパス開閉検知センサー８１、手差し用紙検知センサー８２、手差し用紙幅検知センサー８３及びバイパストレイ１４１のピックアップローラー１４５（図１）は、特許請求の範囲における、バイパストレイに関連するデバイス（以下、バイパス関連デバイスという）に相当する。
【００２６】
ネットワークインターフェイス部９１は、ＬＡＮボード等の通信モジュールから構成され、当該ネットワークインターフェイス部９１に接続されたＬＡＮ等を介して、ローカルエリア内又はインターネット上のコンピューター２０等と種々のデータの送受信を行う。
【００２７】
コンピューター２０には、画像形成装置１のプリンタードライバーがインストールされている。操作者は、操作部４７及び表示部４７３だけでなく、コンピューター２０にインストールされたプリンタードライバーを通じて、画像形成装置１の各種設定、例えば、画像形成部１２への給紙元の選択や、バイパストレイ１４１に載置された用紙及び給紙カセット１４２に収容された用紙のサイズ及び種類の設定を行うことができる。
【００２８】
ネットワークインターフェイス部９１は、コンピューター２０から送信される画像データを受信してＨＤＤ９２に印刷ジョブとして保存する。
【００２９】
ＨＤＤ９２は、原稿読取部５によって読み取られた原稿画像や印刷ジョブ等を記憶する大容量の記憶装置である。
【００３０】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、ＭＰＵ（Micro Processing Unit）等である。制御ユニット１０は、制御部１００、バイパス無しモード設定部１０１、及びバイパス関連デバイス異常検知部１０２を備えている。
【００３１】
制御ユニット１０は、ＨＤＤ９２に記憶されているコンピュータープログラムに従った上記プロセッサーによる動作により、制御部１００、バイパス無しモード設定部１０１、及びバイパス関連デバイス異常検知部１０２として機能するものである。但し、制御部１００、バイパス無しモード設定部１０１、及びバイパス関連デバイス異常検知部１０２は、制御ユニット１０によるコンピュータープログラムに従った動作によらず、ハードウェア回路により構成することも可能である。以下、特に触れない限り、各実施形態について同様である。
【００３２】
制御部１００は、画像形成装置１の全体的な動作制御を司る。制御部１００は、操作部４７、原稿給送部６、原稿読取部５、画像メモリー３２、画像形成部１２、定着部１３、ファクシミリ通信部７１、バイパス開閉検知センサー８１、手差し用紙検知センサー８２、手差し用紙幅検知センサー８３、ネットワークインターフェイス部９１、及びＨＤＤ９２等と接続され、これら各部の制御を行う。
【００３３】
特に、制御部１００の動作のうち、本発明の一実施形態に関するものとして、表示部４７３の表示制御処理、画像形成装置１のウォームアップ動作制御処理及びバイパス関連デバイスの動作制御処理がある。
【００３４】
画像形成装置１では、バイパストレイ１４１を使用しない、すなわち、バイパストレイ１４１が不要な場合にバイパス無しモードを設定することができる。バイパス無しモードとは、バイパストレイ１４１からの給紙を行わないモードである。このバイパス無しモードの設定の有無によって、制御部１００による表示部４７３の表示制御処理、画像形成装置１のウォームアップ動作制御処理及びバイパス関連デバイスの動作制御処理が異なるものとなる。操作者は、表示部４７３に表示される設定画面又はＰＣ２０に表示されるデバイスドライバー画面を通じて操作部４７にバイパス無しモード設定指示を入力する。操作部４７が当該バイパス無しモード設定指示を受け付けると、バイパス無しモード設定部１０１は、操作者から当該指示を受けてバイパス無しモードを設定する。
【００３５】
なお、後述するように、バイパス無しモード設定部１０１は、操作者からの指示がなくても自動的にバイパス無しモードを設定することも行う。
【００３６】
バイパス関連デバイス異常検知部１０２は、バイパストレイ１４１の動作に関わるデバイス、すなわち、バイパス開閉検知センサー８１、手差し用紙検知センサー８２、手差し用紙幅検知センサー８３及びバイパストレイ１４１のピックアップローラー１４５（図１）等の動作異常を検知する。バイパス関連デバイス異常検知部１０２は、バイパス開閉検知センサー８１、手差し用紙検知センサー８２、手差し用紙幅検知センサー８３については、これら各センサーに試験的にスイッチオンオフを行わせて、その際に各センサーからオン信号及オフ信号が出力された場合に異常なしと検知し、各センサーからオン信号及オフ信号が出力されてこなければ異常と検知する。また、バイパス関連デバイス異常検知部１０２は、ピックアップローラー１４５については、当該ピックアップローラー１４５に回転駆動力を供給する図略のモーター等の駆動源の回転速度を検出する機構から出力されてくる回転速度が、予め定められた速度範囲から外れる場合に異常と検知する。バイパス関連デバイス異常検知部１０２が、これらバイパス関連デバイスの動作異常を検知すると、制御部１００は、表示部４７３に警告メッセージを表示させて、操作者にデバイス異常を伝える。
【００３７】
次に、制御部１００による表示部４７３の表示制御処理、画像形成装置１のウォームアップ動作制御処理及びバイパス関連デバイスの動作制御処理について説明する。図３は、画像形成装置における各種設定画面の表示処理を示すフローチャートである。
【００３８】
画像形成装置１においてコピーが行われる場合、制御部１００は、表示部４７３に、給紙元を選択するための設定画面を表示させる。このとき、バイパス無しモードが設定されていない場合には（Ｓ１１でＮＯ）、制御部１００は、バイパストレイを含む通常の設定画面を表示する（Ｓ１２）。一方、バイパス無しモードが設定されている場合には（Ｓ１１でＹＥＳ）、制御部１００は、設定画面においてバイパストレイに関わる表示を行わない（Ｓ１３）。
【００３９】
図４Ａは、バイパス無しモードが設定されていない場合の用紙選択画面例を示す図である。図４Ｂは、バイパス無しモードが設定されている場合の用紙選択画面例を示す図である。画像形成部１２への給紙元を選択する場合、制御部１００は、表示部４７３に用紙選択画面を表示させる。図４Ａに示すように、バイパス無しモードが設定されていない場合には、用紙選択画面において、バイパストレイを選択するためのボタンが表示される。操作者は、「バイパストレイ」と表記されたボタンをタッチ操作することでバイパストレイ１４１からの給紙を選択することができる。また、操作者は、「用紙設定」と表記されたボタンをタッチ操作することで、バイパストレイ１４１に載置する用紙のサイズ及び種類を設定することができる。
【００４０】
一方、図４Ｂに示すように、バイパス無しモードが設定されている場合には、用紙選択画面において、「バイパストレイ」及び「用紙設定」と表記されたボタンの表示が省略される。これにより、バイパストレイ１４１を使用するつもりがない操作者はバイパストレイ１４１に関わる項目を目にしなくて済むようになる。すなわち、操作者にとって不要な項目が表示されなくなることで、操作者の利便性を向上させることができる。また、操作者が誤って不要な項目を選択することも防ぐことができる。
【００４１】
次に用紙設定画面の一例を説明する。図５Ａはバイパス無しモードが設定されていない場合の用紙設定画面例を示し、図５Ｂはバイパス無しモードが設定されている場合の用紙設定画面例を示す図である。画像形成部１２へ供給される用紙のサイズ及び種類を設定する場合、制御部１００は、表示部４７３に用紙設定画面を表示させる。図５Ａに示すように、バイパス無しモードが設定されていない場合には、用紙設定画面において、バイパストレイ１４１及び給紙カセット１４２に載置及び収容可能な各用紙を表記したボタンが表示される。操作者は、任意のボタンをタッチ操作することで、用紙のサイズ及び種類を設定することができる。
【００４２】
一方、図５Ｂに示すように、バイパス無しモードが設定されている場合には、制御部１００は、表示部４７３に、用紙設定画面において、バイパストレイ１４１に載置される用紙のボタンが表示させず、給紙カセット１４２に収容可能な用紙のボタンのみを表示させる。これにより、バイパストレイ１４１を使用するつもりがない操作者はバイパストレイ１４１の用紙設定に関わる項目を目にしなくて済むようになる。すなわち、操作者にとって不要な項目が表示されなくなることで、操作者の利便性を向上させることができる。また、操作者が誤って不要な項目を選択することも防ぐことができる。
【００４３】
図６は、画像形成装置におけるウォームアップ処理を示すフローチャートである。画像形成装置１の電源投入時又はスリープモード（或いは省電力モード）から通常モードへの遷移時において、制御部１００は、画像形成装置１における各種センサー、モーター、ローラー、クラッチ等を作動させてウォームアップ動作を行う。
【００４４】
このとき、バイパス無しモードが設定されていない場合には（Ｓ２１でＮＯ）、制御部１００は、画像形成装置１全体のウォームアップ動作を行う（Ｓ２２）。一方、バイパス無しモードが設定されている場合には（Ｓ２１ＹＥＳ）、制御部１００は、バイパストレイ１４１に関わるウォームアップ動作は行わせず、それ以外の機構についてのウォームアップ動作を行う（Ｓ２３）。
【００４５】
例えば、制御部１００は、バイパス無しモードが設定されている場合には、バイパス開閉検知センサー８１、手差し用紙検知センサー８２、手差し用紙幅検知センサー８３、バイパストレイ１４１のピックアップローラー１４５（図１）、当該ピックアップローラー１４５を駆動するモーター等のウォームアップ動作を省略する。これにより、電源投入時又はスリープモードから通常モードへの遷移時のウォームアップ動作における騒音が低減され、また、ウォームアップ動作を早く完了することができる。
【００４６】
図７は、画像形成装置におけるバイパス関連デバイスの動作制御処理を示すフローチャートである。バイパストレイ１４１には、バイパス開閉検知センサー８１、手差し用紙検知センサー８２、手差し用紙幅検知センサー８３及びバイパストレイ１４１のピックアップローラー１４５等のバイパス関連デバイスが付帯して設けられている。すなわち、バイパストレイ１４１を使用する場合、これらバイパス関連デバイスも動作させる必要がある。バイパス無しモードが設定されていない場合には（Ｓ３１でＮＯ）、制御部１００は、バイパス関連デバイスを全てオンにする（Ｓ３２）。一方、バイパス無しモードが設定されている場合には（Ｓ３１でＹＥＳ）、制御部１００は、バイパス関連デバイスを全てオフにする（Ｓ３３）。但し、制御部１００は、バイパス関連デバイス異常検知部１０２による異常検知に必要とされる機構はオフにしない。これにより、不要なデバイスへの通電が行われなくなり、消費電力を低減することができる。
【００４７】
次に、バイパス関連デバイス異常検知部１０２によるバイパス関連デバイスの異常検知処理について説明する。図８は、画像形成装置におけるバイパス関連デバイスの異常検知処理を示すフローチャートである。バイパス無しモードが設定されていない場合には（Ｓ４１でＮＯ）、バイパス関連デバイス異常検知部１０２は、バイパス関連デバイスの異常検知を実施する（Ｓ４２）。一方、バイパス無しモードが設定されている場合には（Ｓ４１でＹＥＳ）、バイパス関連デバイス異常検知部１０２は、バイパス関連デバイスの異常検知を行わない（Ｓ４３）。これにより、バイパス無しモード時にバイパス関連デバイスが全てオフにされた場合であっても、バイパス関連デバイスの異常として検知されることがなく、誤検知を防止することができる。また、バイパストレイ１４１を使用しない場合においてバイパス関連デバイスが故障してもその異常が検知されなくなり、画像形成装置１をそのまま普通に使い続けることができる。
【００４８】
次に、バイパス無しモード設定部１０１によるバイパス無しモードの自動設定処理について説明する。図９は、画像形成装置におけるバイパス無しモードの自動設定処理の一例を示すフローチャートである。
【００４９】
バイパス開閉検知センサー８１によりバイパストレイ１４１が閉じていることが検知された場合には（Ｓ５１で「閉」）、バイパス無しモード設定部１０１は、操作者の指示がなくても、バイパス無しモードを設定する（Ｓ５２）。
【００５０】
バイパストレイ１４１が閉じられてバイパス無しモードが設定されている場合において、バイパス開閉検知センサー８１によりバイパストレイ１４１が開いたことが検知されても（Ｓ５１で「開」）、操作者からバイパス無しモードが指示されている場合には（Ｓ５３でＹＥＳ）、バイパス無しモード設定部１０１は、バイパス無しモードを解除することなく維持する。一方、操作者からバイパス無しモードが指示されていない場合には（Ｓ５３でＮＯ）、バイパス無しモード設定部１０１は、バイパス無しモードを解除する（Ｓ５４）。これは、操作者からバイパス無しモードが指示されず、かつ、バイパストレイ１４１が開かれたということは、操作者がバイパストレイ１４１を使用しようとしていると考えられるからである。
【００５１】
このように操作者からの指示がない場合にはバイパストレイ１４１の開閉に応じてバイパス無しモードの設定及び解除を切り替え、操作者からの指示がある場合にはバイパストレイ１４１の開閉にかかわらず操作者の指示に従うことで、操作者の指示を優先した最適なバイパス無しモードの設定及び解除を行うことができる。
【００５２】
続いて、バイパス無しモード設定部１０１がバイパス無しモードを解除すると、制御部１００は、バイパス関連デバイスのウォームアップ動作を実行する（Ｓ５５）。更に、制御部１００は、表示部４７３に、バイパストレイ１４１の用紙サイズ及び用紙種類を設定するための用紙設定画面を表示させる（Ｓ５６）。これにより、操作者がバイパストレイ１４１を開くとすぐさまバイパストレイ１４１を使用する準備をすることができ、操作者の利便性を向上させることができる。
【００５３】
図１０は、画像形成装置におけるバイパス無しモードの自動設定処理の別例を示すフローチャートである。例えば、バイパストレイ１４１が開かれたままで画像形成装置１が起動された場合、手差し用紙検知センサー８２は、バイパストレイ１４１に用紙が載置されているか否かを検出する。手差し用紙検知センサー８２から送られてくる信号がバイパストレイ１４１に用紙が載置されていないことを示す場合（Ｓ６１でＮＯ）、バイパス無しモード設定部１０１は、バイパストレイ１４１が開かれているため、バイパス無しモードの設定をしておく（Ｓ６５）。
【００５４】
バイパストレイ１４１に用紙が載置されている場合（Ｓ６１でＹＥＳ）、バイパス無しモード設定部１０１は、この時点における、バイパストレイ１４１から給紙された記録紙の枚数、すなわち給紙枚数を取得及び記憶する（Ｓ６２）。そして、バイパス無しモード設定部１０１は、Ｓ６２による記憶内容と、当該給紙枚数を前回取得したときの記憶内容とを比較して、バイパストレイ１４１の給紙枚数が変化したか否かを確認する（Ｓ６３）。
【００５５】
ここで、バイパス無しモード設定部１０１は、バイパストレイ１４１の給紙枚数が変化していないと判断した場合（Ｓ６３でＮＯ）、バイパストレイ１４１に用紙が載置されているだけでそこから給紙されていない、すなわち、バイパストレイ１４１が使用されていないということであるため、バイパス無しモードを設定する（Ｓ６５）。
【００５６】
一方、バイパストレイ１４１の給紙枚数が変化していれば（Ｓ６３でＹＥＳ）、バイパストレイ１４１が使用されているということであるため、バイパス無しモード設定部１０１は、操作者からのバイパス無しモード設定指示の有無を確認して、操作者からバイパス無しモードの設定指示がない限り、バイパス無しモード設定部１０１は、バイパス無しモードを設定しない（Ｓ６４でＮＯ）。バイパス無しモード設定部１０１は、バイパストレイ１４１の給紙枚数が変化していて（Ｓ６３でＹＥＳ）、操作者からバイパス無しモード設定指示がある場合には（Ｓ６４でＹＥＳ）、バイパス無しモードを設定する（Ｓ６５）。
【００５７】
これにより、バイパストレイ１４１が開いた状態で画像形成装置１が起動されたとき、バイパストレイ１４１が使用されていないと判断された場合に自動的にバイパス無しモードが設定されるため、操作者はわざわざバイパス無しモードを設定しなくてよくなり、操作者の利便性を向上させることができる。
【００５８】
以上、説明したように、本実施形態によると、バイパストレイを使用しない場合に設定画面からバイパストレイに関わる表示をなくすことができる。
【００５９】
上記図３，図６，図７，図８，図９，及び図１０を参照して説明した各処理は、制御部１００による制御の下、それぞれが単独で行われてもよいし、複数の処理が組み合わされて行われてもよい。
【００６０】
なお、本発明は上記実施の形態の構成に限られず種々の変形が可能である。例えば、上記実施形態では、本発明に係る画像形成装置の一実施形態として複合機を用いて説明しているが、これは一例に過ぎず、プリンターやファクシミリ等の他の画像形成装置でもよい。
【００６１】
また、上記実施形態では、図１乃至図１０を用いて上記実施形態により示した構成及び処理は、本発明の一実施形態に過ぎず、本発明を当該構成及び処理に限定する趣旨ではない。
【符号の説明】
【００６２】
１      画像形成装置
１２    画像形成部
４７３  表示部
８１    バイパス開閉検知センサー
８２    手差し用紙検知センサー
８３    手差し用紙幅検知センサー
１４１  バイパストレイ
１４２  給紙カセット
１００  制御部
１０１  バイパス無しモード設定部
１０２  バイパス関連デバイス異常検知部
【図１】
2018120138.tif 000003
【図２】
2018120138.tif 000004
【図３】
2018120138.tif 000005
【図４Ａ】
2018120138.tif 000006
【図４Ｂ】
2018120138.tif 000007
【図５Ａ】
2018120138.tif 000008
【図５Ｂ】
2018120138.tif 000009
【図６】
2018120138.tif 000010
【図７】
2018120138.tif 000011
【図８】
2018120138.tif 000012
【図９】
2018120138.tif 000013
【図１０】
2018120138.tif 000014